(57)【要約】【課題】パイル生地を寝具等に使用した際パイル糸による毛足が一定の向きに揃うことにより、同方向に寝具等がずれて移動することないパイル織物を得る。【解決手段】地経糸，地緯糸からなる地組織表面に起立方向を斜にして立毛を叢生しているパイル糸の、前記起立方向を互に相反する方向としている面を交互に位置させている。また、地経糸，パイル経糸に、地緯糸と共に抜き糸を打ち込んでなる表側織地と裏側織地の両組織間にパイル糸が亘っており、表裏両地織間に亘るパイル糸の一方の側位のみに抜き糸を配したエリアと、パイル糸の前記と反対の側位にのみ抜き糸を配したエリアとを交互に位置させた組織の二重織物を製織し、前記表裏両織地間に亘るパイル糸を切断した後、前記抜き糸を取り去ることで切断されたパイル糸の切断端部が、前記各織地の一面に各エリアごとに起立方向の異なる立毛を交互に叢生したパイル織物を製造している。【選択図】        図１
2004256933.tif 000002
【特許請求の範囲】
【請求項１】
地経糸，地緯糸からなる地組織表面に起立方向を斜にして立毛を叢生しているパイル糸の、前記起立方向を互に相反する方向としている面を交互に位置させたことを特徴とするパイル織物。
【請求項２】
地経糸，パイル経糸に、地緯糸と共に抜き糸を打ち込んでなる表側織地と裏側織地の両組織間にパイル糸が亘っており、表裏両地織間に亘るパイル糸の一方の側位のみに抜き糸を配したエリアと、パイル糸の前記と反対の側位にのみ抜き糸を配したエリアとを交互に位置させた組織の二重織物を製織し、前記表裏両織地間に亘るパイル糸を切断した後、前記抜き糸を取り去ることで切断されたパイル糸の切断端部が、前記各織地の一面に各エリアごとに起立方向の異なる立毛を交互に叢生したことを特徴とするパイル織物の製造方法。
【発明の詳細な説明】
【０００１】
【発明の属する技術分野】
本発明は、掛け毛布等の寝装用具に使用した際に、ずれ落ち等の原因となる滑りの発生を押えることの出来るパイル織物及びその製造法に間する。
【０００２】
【従来の技術】
従来パイル織物は、その保温性、肌ざわりの良さ等によって掛け毛布等寝具に多く使用されている。然し、パイル織物は地経糸，地緯糸による二重織の地組織に打ち込まれたパイル糸をカットし、同じく地組織に打ち込まれた抜き糸を取り去る際に地組織表面にパイル糸を引き出して立毛としているが、両端部分を立毛として地組織表面に叢生した状態のパイル糸も、その中間部分にあっては地組織の経緯糸によって抑えられている。そして、上記地経糸，地緯糸，パイル糸，抜き糸は織り組織が一定の配列で循環している（例えば特許文献１参照）。然し、パイル糸を抜けにくく、かつ密にし風合いを良くすることは出来るが、組織がくり返されるために叢生したパイル糸の毛足が一定の方向を向いて揃いやすい。そのため、パイル糸の資質によっては、寝具等として使用している際に、毛足の向く方向に添って滑り易く、睡眠中の人体或いは併用する他の寝具に添わない等の不快感を生じさせることがあった。
【０００３】
そこで、寝具等の生地に摩擦抵抗を有する組織のものを用い、或いは、肌ざわりを良くする為に人体に接する面はパイル組織とし、他の寝具に接する側には滑り止めの為の樹脂加工により摩擦抵抗を生じさせる、パイル面の組織・糸質を選ぶ、後加工の手段で凹凸にする、パイルへブラシを当てる事により強制的にパイルの方向を規制する等等の手段がなどが考えられたが、いずれも、風合い，感覚がそこなはれ、特に後加工の手段を講じた場合風合いが堅くなり、処理薬剤の残存の問題、洗濯などを繰り返すことによる効果低下などの問題があった。
【０００４】
【特許文献１】
特公平４−２８８１７号公報（第１〜２頁，図１〜３）
【０００５】
【発明が解決しようとする課題】
本発明は上記の点に鑑みて、パイル生地を寝具等に使用した際、パイル糸の毛足が一定の向きに揃うことによる寝具等のずれや移動のないパイル織物を得ることを目的としている。
【０００６】
【課題を解決するための手段】
請求項１記載の本発明のパイル織物は、地経糸，地緯糸からなる地組織表面に起立方向を斜にして立毛を叢生しているパイル糸の、前記起立方向を互に相反する方向としている面を交互に位置させている。
請求項２記載の本発明パイル織物の製造法にあっては、地経糸，パイル経糸に、地緯糸と共に抜き糸を打ち込んでなる表側織地と裏側織地の両組織間にパイル糸が亘っており、表裏両地織間に亘るパイル糸の一方の側位のみに抜き糸を配したエリアと、パイル糸の前記と反対の側位にのみ抜き糸を配したエリアとを交互に位置させた組織の二重織物を製織し、前記表裏両織地間に亘るパイル糸を切断した後、前記抜き糸を取り去ることで切断されたパイル糸の切断端部が、前記各織地の一面に各エリアごとに起立方向の異なる立毛を交互に叢生したパイル織物を製造している。
【０００７】
【発明の実施の形態】
本発明の実施の形態を図面と共に次に説明する。
本発明パイル織物１は、地経糸２（図示せず），地緯糸３，抜糸４及びパイル糸Ｐ１，Ｐ２，Ｐ３，Ｐ４による二重織地として製織される。図１Ａに示す組織図は地経糸２の記載を省略した二重織地５を示すもので、表側織地５ａと裏側織地５ｂとが両織地間に亘るパイル糸Ｐ１，Ｐ２，Ｐ３，Ｐ４により一体となり、前記各表側織地５ａと裏側織地５ｂとはそれぞれ地緯糸３の２本おきに抜糸４を１本入れて製織する。使用する地緯糸３の本数は、後述する立毛６の起立する向きが同方向に揃うエリアの幅によって任意に決定される。
【０００８】
本発明にあっては、上記立毛の起立する向きが正方向と逆方向との２つのエリアを形成するが、図１においては中心線Ｃ−Ｃより左側の立毛は左に傾き中心性より右側の立毛は右に傾いている例を示している。従って、立毛の起立する向きが正方向のエリアの組織と逆方向のエリアの組織と、それを連結する為の連結組織とを用い各組織を任意数循環配置すること、或いは、その面積を適宜に設定することで滑り止め効果を適宜コントロールする。図１Ａでは中心線Ｃ−Ｃの左右の織組織が異種組織を連結する為の織組織となっている。
【０００９】
次にパイル経糸Ｐ１，Ｐ２，Ｐ３，Ｐ４と地緯糸３，抜糸４の打込の関係を説明する。
図示した地緯糸と抜糸とは計２８本とし、説明上これらの緯糸３，抜糸４に対してパイル糸Ｐ１，Ｐ２，Ｐ３，Ｐ４がどのように位置するかで説明をする。ここで二重織地５の表面側織地５ａを構成する地緯糸３及び抜糸４について順に１番，２番……とし、二重織地５の裏面側織地５ｂを構成する地緯糸３及び抜糸４について順に１´番，２´番と表現する。更に、図１において断面を白く画いた糸は地緯糸３で黒く画いた糸は抜糸４とする。
【００１０】
パイル糸Ｐ１は、表面側織地５ａと裏面側織地５ｂとの地緯糸３と抜糸４に対して次の位置をとる。
１´の下、２´，３´の上、４´の下、５の上、６の下、７の上、８，９の下、１０の上、１１´の下、１２´の上、１３´の下、１４´，１５´の上、１６´の下、１７の上、１８，１９の下、２０の上、２１の下、２２の上、２３´の下、２４´，２５´の上、２６´の下、２７´の上、２８´の下
【００１１】
パイル糸Ｐ２は表面側織地５ａと裏面側織地５ｂとの地緯糸３と抜糸４に対して次の位置をとる。
１´の下、２の上、３の下、４の上、５，６の下、７の上、８´の下、９´の上、１０´の下、１１´，１２´の上、１３´の下、１４の上、１５，１６の下、１７の上、１８の下、１９の上、２０´の下、２１´，２２´の上、２３´の下、２４´の上、２５´の下、２６の上、２７，２８の下
【００１２】
パイル糸Ｐ３は表面側織地５ａと裏面側織地５ｂとの地緯糸３と抜糸４に対して次の位置をとる。
１の上、２，３の下、４の上、５´の下、６´の上、７´の下、８´，９´の上、１０´の下、１１の上、１２の下、１３の上、１４，１５の下、１６の上、１７´の下、１８´，１９´の上、２０´の下、２１´の上、２２´の下、２３の上、２４，２５の下、２６の上、２７の下、２８の上
【００１３】
パイル糸Ｐ４は表面側織地５ａと裏面側織地５ｂとの地緯糸３と抜糸４に対して次の位置をとる。
１の上、２´の下、３´の上、４´の下、５´，６´の上、７´の下、８の上、９の下、１０の上、１１，１２の下、１３の上、１４´の下１５´，１６´の上、１７´の下、１８´の上、１９´の下、２０の上、２１，２２の下、２３の上、２４の下、２５の上、２６´の下、２７´，２８´の上
【００１４】
上記組織によって製織された二重織地５は表面側織地５ａと裏面側織地５ｂとの間に亘っている亘り糸７を図１における矢印方向に切断し表面側織地５ａと裏面側織地５ｂとを分離する。
【００１５】
次いで各織地５ａ，５ｂにおいて抜糸４を取り去ると同時に、抜糸４に巻回する状態に添っていたパイル糸の先端（切断された亘り糸７）は地組織から引き抜かれて立毛６となる。
【００１６】
上記亘り糸７は、製織時地緯糸３と抜糸４との間に挟まれる組織となっており、上記抜糸４の取り除きによって図１Ｆに示す如く緯糸１本分の空隙が作られることになる。そのために残存している地緯糸３が、地組織から引き出され起立している立毛６を上記空隙８側に押し倒す方向に圧力を加えることになり、結果的に立毛６は、取り除かれた抜糸が存在していた方向に押し倒され垂直より若干傾斜した状態で起立することになる。
図１Ｆに示す例では中心線Ｃ−Ｃより右に位置した立毛６は先端を右側に、中心線Ｃ−Ｃより左に位置した立毛６は先端を左側に傾斜させることになる。
【００１７】
前記の抜き糸４による、切断された亘り糸の地組織からの立毛６としての引き出しは、抜き糸４に巻回している亘り糸だけであって、表側織地５ａと裏地側織地５ｂとの間にクロス状に亘っていて同時に切断された亘り糸であっても、地緯糸に巻回しているものは、立毛として引き出されることはなくそのまま地組織面に残っており、その結果地組織の両面に立毛６が見られることになる。この立毛６も、抜糸４を取り去ることで出来た空隙部８の影響を受け、抜糸４が存在していた方向に傾くことになる。
【００１８】
【発明の効果】
本発明は、異なる立毛の起立方向を適宜の織幅で交互に発現するような組織としている為に、寝具等に使用した場合、或る面では一方向に滑り易い状態が生じても、それに隣接する面では逆に滑りを阻止する作用を生ずることになり、寝具等の妄動を防止することが出来る。
本発明にあっては、毛足の起立方向を規制するだけで、その表面に化学的処理などをせず、また、表面の摩擦係数を高めることを目的とした処理なども行なう必要が無い為、風合い・感触を損なうことはなく長期の使用に耐える。
【図面の簡単な説明】
【図１】本発明パイル織物を示す。Ａは二重織地の組織図、Ｂ，Ｃ，Ｄ，Ｅはそれぞれ二重織地のパイル糸Ｐ１，Ｐ２，Ｐ３，Ｐ４に沿って切断した状態の端面図。
【符号の説明】
１  パイル織物
３  地緯糸
４  抜糸
５  二重織地
５ａ  表面側織地
５ｂ  裏面側織地
６  立毛
７  亘り糸
【図１】
2004256933.tif 000003